(57)【要約】建設機械に搭載された機器の異常を検出する異常検出手段と、検出された前記機器の異常情報を、通常モードのときは出力し、保守モードのときは無効化または出力しない異常情報出力手段と、保守作業内容を判断し、その保守作業内容または状況に応じて前記通常モードと保守モードとを切り換えるモード切換手段とを備える。これによって、通常モードと保守モードとが保守作業内容または状況に応じて自動的に切り換わるため、保守モード時に発生した意味のない偽の異常情報の出力を防止して通常モード時に発生した真の異常情報のみを出力することができる。
2014203990.tif 000002
【特許請求の範囲】
【請求項１】
建設機械に搭載された機器の異常を検出する異常検出手段と、
前記異常検出手段で検出された前記機器の異常情報を、通常モードのときは出力し、保守モードのときは無効化または出力しない異常情報出力手段と、
保守作業内容を判断し、その保守作業内容または状況に応じて前記通常モードと保守モードとを切り換えるモード切換手段とを備えたことを特徴とする建設機械の異常情報制御装置。
【請求項２】
請求項１に記載の建設機械の異常情報制御において、
保守作業を行うサービス機器を車体に接続する手段を備え、前記モード切換手段は、前記サービス機器で選択された保守作業内容または状況に応じて前記通常モードと保守モードとを切り換えることを特徴とする建設機械の異常情報制御装置。
【請求項３】
請求項２に記載の建設機械の異常情報制御において、
前記モード切換手段は、前記サービス機器で選択された保守作業内容または状況が、エンジンを始動した状態で行うものであるときは通常モードにし、エンジンを停止した状態で行うものであるときは保守モードにすることを特徴とする建設機械の異常情報制御装置。
【請求項４】
請求項２に記載の建設機械の異常情報制御において、
前記モード切換手段は、前記保守モードで行われる保守作業が終了したときに通常モードに切り換えることを特徴とする建設機械の異常情報制御装置。
【請求項５】
請求項２に記載の建設機械の異常情報制御において、
前記モード切換手段は、サービス機器を外したときに通常モードに切り換えることを特徴とする建設機械の異常情報制御装置。
【発明の詳細な説明】
【技術分野】
【０００１】
本発明は、油圧ショベルなどの建設機械に係り、特に異常情報の扱いを通常モードと保守モードとで異ならしめた建設機械の異常情報制御装置に関するものである。
【背景技術】
【０００２】
近年、油圧ショベル、ホイールローダ、ダンプトラック、ブルトーザなどの建設機械の分野では、環境負荷の低減や資源高騰を背景に、エンジンの電子制御化、車体の電動・ハイブリッド化が進められており、これら建設機械には、複雑な制御を実現するために圧力センサーに代表されるようなセンサー類が多数車体に取り付けられている。【０００３】
また、これら建設機械には、エンジンや油圧アクチュエータを制御したり、車体の稼働状況を管理したりするために、機能毎に専用のコントローラ（制御装置）が搭載されており、これらコントローラにはさらに所定の制御が正常に行われているか、センサーに断線異常などが発生していないかなどを判断する故障判定機能が備わっているものもある。【０００４】
故障判定機能を有するコントローラでは、判定された故障がその内容に応じてエラーコードという形で分類されて登録されている。故障判定の結果はコントローラ自身が記憶しており、エラーコードや発生時間といった情報を定期的に無線通信端末から情報センタへ送信するようになっている。そして、建設機械メーカーのサービスマンは、その情報センタへ集められた情報を基に車体の故障原因の解析を行い、緊急の修理が必要と判断したときは、必要な機材を準備した上で現場まで出向いて迅速に対応できる体制になっている。【０００５】
ところで、このようにして情報センタへ集められたエラーコードの内容と、実際の車体の状況とは常に一致するとは限らない。例えば、サービスマンが車体の部品交換などの保守作業中にセンサーなどの部品を一時的に取り外した状態だけであったとしても、その状態で故障診断が行われれば、コントローラはセンサーが断線していると判定し、エラーコードを送信してしまう。【０００６】
作業を行っているサービスマンは、これが部品交換作業時に発生してしまった意味のない偽のエラーコードであるということは分かるが、その他のサービスマンはそのエラーコードの真偽は判断できず、適格な対応が困難である。さらにこの偽のエラーコードは故障履歴として管理され続ける可能性があるため、この意味のない偽のエラーコードの解析に時間を浪費してしまうこともある。【０００７】
このような問題に対して従来では例えば以下の特許文献１のように、保守作業が行われやすいサービス工場でサービスマンが異常情報データを収集することのできる故障診断機を車体に接続しているときは、仮に異常情報が検出されてもこれを外部に出力しないようにしている。また、以下の特許文献２では、エラーコードに統一的な基準を設け、この基準に達したエラーコードのみを管理者側に送信するといった方法が開示されている。
【先行技術文献】
【特許文献】
【０００８】
【特許文献１】特開２００５−４１４３８号公報
【特許文献２】特許第４７６９３８２号公報
【発明の概要】
【発明が解決しようとする課題】
【０００９】
しかしながら、特許文献１のような方法では情報センタへの異常情報の送信を禁止できるが、保守作業時に常に故障診断機を接続しておかねばならないといった問題がある。一方、特許文献２に示すような方法では、センサーの故障や断線のような車体の制御に異常を及ぼす基準を下げることはできないといった問題がある。【００１０】
そこで、本発明はこれらの課題を解決するために案出されたものであり、その目的は、異常情報が検知されてもこれを出力しない保守モードを設けると共に、この保守モードと通常モード間の移行を自動的に行うことができる新規な建設機械の情報制御装置を提供するものである。
【課題を解決するための手段】
【００１１】
前記課題を解決するために第１の発明は、建設機械に搭載された機器の異常を検出する異常検出手段と、前記異常検出手段で検出された前記機器の異常情報を、通常モードのときは出力し、保守モードのときは無効化または出力しない異常情報出力手段と、保守作業内容を判断し、その保守作業内容または状況に応じて前記通常モードと保守モードとを切り換えるモード切換手段とを備えたことを特徴とする建設機械の異常情報制御装置である。【００１２】
このような構成によれば、通常モードと保守モードとが保守作業内容または状況に応じて自動的に切り換わるため、保守モード時に発生した意味のない偽の異常情報の出力を防止して通常モード時に発生した真の異常情報のみを出力することができる。また、切り換えミスや保守作業後の通常モードへの切り換え忘れなどの人為的なミスも回避できる。【００１３】
ここで、本発明でいう「保守モード」とは、後に例示するように建設機械に搭載された各種装置や機器などの点検、保守（メンテナンス）作業などに伴って発生する異常情報（エラーコード）を無効化または出力しない状態をいう。一方、「通常モード」とは検出された異常情報の全て記憶し、記憶した異常情報を所定の時期に所定の方法によって遠隔の情報センタなどに送信できる状態をいう。【００１４】
第２の発明は、第１の発明において、保守作業を行うサービス機器を車体に接続する手段を備え、前記モード切換手段は、前記サービス機器で選択された保守作業内容または状況に応じて前記通常モードと保守モードとを切り換えることを特徴とする建設機械の異常情報制御装置である。このような構成によれば、サービスマンが車体にサービス機器を接続して保守作業内容を選択するだけで保守モードと通常モードとを自動的に切り換えることができる。【００１５】
第３の発明によれば、第２の発明において、前記モード切換手段は、前記サービス機器で選択された保守作業内容が、エンジンを始動した状態で行うものであるときは通常モードにし、エンジンを停止した状態で行うものであるときは保守モードにすることを特徴とする建設機械の異常情報制御装置である。このような構成によれば、保守作業内容をエンジンの起動の有無によって通常モードと保守モードとに明確に分別することができる。【００１６】
第４の発明によれば、第２または第３の発明において、前記モード切換手段は、前記保守モードで行われる保守作業が終了したときに通常モードに切り換えることを特徴とする建設機械の異常情報制御装置である。このような構成によれば、作業終了後に保守モードから通常モードへの切り換え忘れなどの人為的なミスを防止することができる。【００１７】
第５の発明は、第２または第３の発明において、前記モード切換手段は、サービス機器を外したときに通常モードに切り換えることを特徴とする建設機械の異常情報制御装置である。このような構成によれば、第４の発明と同様に作業終了後に保守モードから通常モードへの切り換え忘れなどの人為的なミスを防止することができる。
【発明の効果】
【００１８】
本発明によれば、通常モードと保守モードとが保守作業内容や状況に応じて自動的に切り換わるため、保守モード時に発生した意味のない偽の異常情報の出力を防止して通常モード時に発生した真の異常情報のみを出力することができる。また、切り換えミスや保守作業後の通常モードへの切り換え忘れなどの人為的なミスも回避できる。
【図面の簡単な説明】
【００１９】
【図１】本発明に係る建設機械の１つである油圧ショベル１００の実施の一形態を示した斜視図である。
【図２】制御コントローラ３０によって制御される油圧システム２００を示す全体図である。
【図３】本発明に係る異常情報制御装置３００の構成を示したブロック図である。
【図４】モニター装置２５の一例を示した正面図である。
【図５】本発明に係る異常情報制御装置３００による異常情報の処理の流れを示したフローチャートである。
【図６】典型的な日報作成手順の概要を示したフローチャート図である。
【図７】典型的な日報作成手順の概要を示したフローチャート図である。
【図８】作業内容として「試乗」が選択された場合の処理の流れを示したフローチャート図である。
【図９】作業内容として「ソフト書換え」が選択された場合の処理の流れを示したフローチャート図である。
【図１０】作業内容として「部品交換」が選択された場合の処理の流れを示したフローチャート図である。
【発明を実施するための形態】
【００２０】
次に、本発明の実施の形態を添付図面を参照しながら説明する。図１は本発明に係る建設機械の１つである油圧ショベル１００の実施の一形態を示したものである。図示するようにこの油圧ショベル１００は、クローラによって走行する下部走行体１０と、この下部走行体１０上に旋回自在に設けられた上部旋回体２０とから主に構成されている。この上部旋回体２０は、図示しない旋回体フレームの前側に運転席２１ａを有するキャブ２１と、フロント作業機２２を備えると共に、その後側にエンジンや熱交換器（図示せず）などを収容したエンジンルーム２３を有し、さらにその後方にウェイト２４などを備えた構造となっている。
【００２１】
フロント作業機２２は、ブーム２２ａ、アーム２２ｂ、バケット２２ｃおよび各油圧シリンダ４６、４６、４６などを有し、キャブ２１内の運転席２１ａの両側に設けられた操作レバー２１ｂを操作して各油圧シリンダ４６、４６、４６を伸縮させることによって各部を動作する。なお、図ではアーム２２ｂの先端にバケット２２ｃを装着しているが、バケット２２ｃの代わりにグラップラーなどの各種アタッチメントが装着可能となっている。また、下部走行体１０の移動機構はクローラの他にタイヤを用いたものもある。
【００２２】
運転席２１ａの前方には、液晶表示部を備えたモニター装置２５が設けられており、後述するような様々な情報を表示するようになっている。また、その運転席２１ａ左側の操作レバー２１ｂの近傍にはゲートロックレバー２１ｃが設けられている。そして、このゲートロックレバー２１ｃが上がっている状態のときはロック状態になっていてエンジン始動中に操作レバー２１ｂを倒しても車体が動かないようになっており、このゲートロックレバー２１ｃを下げた状態にすることで車体の動作が可能となっている。
【００２３】
また、この運転席２１ａの後方には、制御コントローラ３０や情報コントローラ６０などの各種コントローラ類が収容されており、この制御コントローラ３０によって図２に示すような全体の油圧システム２００が制御されている。図において、符号４０はエンジンであり、その出力軸４１には可変容量型の第１油圧ポンプ４２、第２油圧ポンプ４３，第３油圧ポンプ４４が接続されている。各油圧ポンプ４２，４３，４４から吐出される圧油は、コントロールバルブを含む油圧回路４５へ送られ、油量や方向を制御されて油圧シリンダ４６や油圧モータ４７などへ供給される。
【００２４】
そして、この制御コントローラ３０は、エンジンコントロールダイヤル５０や各種センサー５１および操作レバー２１ｂなどからの入力信号を受けてエンジン制御演算部３０ａとポンプ制御演算部３０ｂを統括制御している。
【００２５】
すなわち、エンジンコントロールダイヤル５０は、エンジン回転数の指令値を調整可能となっており、これによって調整された指令回転数はエンジン制御演算部３０ａへ入力される。エンジン制御演算部３０は、その入力値に基づいて目標エンジン回転数を演算し、エンジンコントローラであるＥＣＵ４８に目標エンジン回転数を送り、その目標エンジン回転数に従ってＥＣＵ４８はエンジンの回転数を制御している。
【００２６】
一方、ポンプ圧などを検出するセンサー５１の信号や操作レバー２１ｂの操作信号はエンジン制御演算部３０およびポンプ制御演算部３０ｂに入力され、ポンプ制御演算部３０ｂがその入力値に基づいた指令値を演算して油圧ポンプ４２，４３，４４を駆動制御する。具体的には、ポンプ制御演算部３０ｂは、操作レバー２１ｂの操作量に応じたポンプ流量を得られるようにポンプ吐出量を制御するポンプレギュレータ４２ａ、４３ａ、４４ａへ必要なポンプトルク圧を送るようになっている。
【００２７】
図３は、この制御コントローラ３０を中心とした本発明に係る異常情報制御装置３００の構成を示したブロック図である。図示するようにこの異常情報制御装置３００は、制御コントローラ３０と、情報コントローラ６０と、無線通信端末６１などから構成されている。そして、制御コントローラ３０は、入出力インターフェース３１，３２，ＣＰＵ３３，ＲＯＭ３４，ＲＡＭ３５などのハードウェアからなる情報処理装置によって構成されている。
【００２８】
この制御コントローラ３０の入出力インターフェース３１には、センサー信号Ｓ１やエンジンキースイッチ信号Ｓ２などの入力要素Ｓが入力され、その入力要素Ｓに応じてＣＰＵ３３で所定の演算処理が行われ、演算された出力信号は指令信号として入出力インターフェース３２から前述した油圧ポンプ４２乃至４４や油圧シリンダ４６などのアクチュエータ３６へ出力される。なお、このＣＰＵ３３において所定の演算処理を行わせるための制御プログラムは、ＲＯＭ３４に格納されており、エンジンキースイッチ信号Ｓ２が入力されるとＲＡＭ３５にロードされて所定の制御が順次実行される。
【００２９】
この制御コントローラ３０には、さらにその入力信号に基づいて搭載された各種機器の異常（エラー）を検出する異常検出機能（異常検出プログラム）が備わっており、異常を検出したと判断したならば、運転席２１ａ前方のモニター装置２５にそれを表示する。図４は、このモニター装置２５の一例を示したものであり、矩形状をしたモニター本体２５ａの前面に液晶表示部２５ｂを備えると共に、その下部に複数の入力スイッチからなる入力部２５ｃを備えた構成となっている。
【００３０】
そして、後述するようにエンジンキースイッチオンにしてから車体の作業状態が保守モードになると車体が後述するような保守モードに切り変わると共に、液晶表示部２５ｂのアイコン２５ｄが点灯するなどして保守モードに切り変わったことを表示するようになっている。
【００３１】
また、オペレータは、このモニター装置２５に表示された異常情報を確認することで車体にどのような異常が発生しているのかを運転席２１ａにおいて目視によって把握できるようになっている。なお、制御コントローラ３０は、その異常が重大なときは、モニター装置２５による表示だけでなく音響警報処理を行い、ブザー装置２６を鳴動するなどして緊急事態であることをオペレータなどに確実に報知できるようになっている。
【００３２】
図３に示すようにこの異常情報は、同時に情報コントローラ６０に送られて記憶され、情報コントローラ６０は、その記憶した異常情報を無線通信機６１を介して随時または定期的にサーバ７０に無線送信する処理を行う。そして、この信号を受信したサーバ７０は、この異常情報を情報データベース７１に記憶し、各営業所や工場などの端末７２がこのサーバ７０に接続することで異常情報の確認ができるようになっている。
【００３３】
また、この情報コントローラ６０には、サービスツール（サービス機器）８０が着脱自在に接続されるようになっており、このサービスツール８０を接続することで情報コントローラ６０に記憶された車体の稼働状況、異常情報などを適宜取得することが可能となっている。なお、このサービスツール８０は、例えば日報作成用の専用装置や、あるいは日報作成用のソフトウェア（プログラム）を組み込んだＰＣなどとして各サービスマンに配布されて利用されるようになっている。
【００３４】
図５は、このような構成をした本発明に係る異常情報制御装置３００による異常情報の処理の流れを示したフローチャートである。図示するようにこの異常情報制御装置３００は、最初のステップＳ１００において各種センサーなどの入力要素Ｓからの入力信号に基づき異常が検出されたか否かの判断を行い、異常が検出されたと判断したとき（ＹＥＳ）は、次のステップＳ１０２およびＳ１０３に移行する。この異常の検出としては、例えば、センサー信号間での断線やショートが起きた場合、そのセンサー信号の電圧値はある閾値を超えて制御コントローラ３０側に入力されてくる。そのため、この制御コントローラ３０はそのセンサー信号の電圧値が上限閾値を超えていればセンサー高電圧異常として検出する。反対にそのセンサー信号の電圧値が下限閾値未満であればセンサー低電圧異常として検出する。
【００３５】
ステップＳ１０２では、情報コントローラ６０がその異常情報を記憶して次のステップＳ１０４に移行すると共に、ステップＳ１０３では、モニター装置２５の液晶表示部２５ｂにその異常を警告する表示をする。
【００３６】
ステップＳ１０４では、その異常が検出されたときに車体が保守モードになっているか否かを判断し、保守モードとなっていると判断したとき（ＹＥＳ）は、情報コントローラ６０がその異常情報を無効化して出力することなく処理を終了する。一方、車体が保守モードでない（ＮＯ）、すなわち通常モードであると判断したときは、次のステップＳ１０６に移行し、記憶されたその異常情報のエラーコードを所定時間経過後に無線通信機６１からサーバ７０へ送信する処理が行われる。
【００３７】
本発明では、図５に示すフローに従って異常を検出し（ステップＳ１００）、さらに異常情報を記憶し（ステップＳ１０２）、そのまま情報センタへエラーコードといった情報を送信する（ステップＳ１０６）状態を通常モードとして定義する。それに対してステップＳ１０２で記憶した異常情報をステップ１０６の情報センタへ送信する機能を無効化した状態を保守モードとして定義する。
【００３８】
従って、保守モードでも異常検出および異常情報記憶機能は働いているため、モニター装置２５や専用のサービスツール８０上で現在発生している異常を確認することはできるが、コントローラに異常履歴は残らず、情報センタにエラーコードが送信されることはない。また、図４に示すように保守モードの場合は、モニター装置２５上に保守モードであることを示すアイコン２５ｄを表示し、さらに車体を動かす場合もエンジンコントロールダイヤル５０で調整される指令回転数を無視し、エンジン制御演算部３０ａで最小となるエンジン回転数を常に固定してＥＣＵ４８に出力するようにする。これにより、保守モードで車体が動かされる場合であっても、サービスマンが直ぐに車体が保守モードであることを認識することができる。
【００３９】
そして、本発明ではこの通常モードから保守モードへの切換えがサービスマンによる保守作業の一連の流れの中で自然に（自動的）に行われるようになっている。すなわち、サービスマンは通常、保守作業を行った後には、日報を作成し、その作業内容を管理するようになっている。そこで、本発明ではサービスマンがこの日報を作成する作業の中で自然にモード切換えがなされるようにしている。
【００４０】
図６および図７は、典型的な日報作成手順の概要を示したものである。先ず、サービスマンは日報を作成するためには、専用のサービスツール８０を車体（情報コントローラ６０）に接続し（ステップＳ２００）、車体のエンジンキースイッチをオンにする（ステップＳ２０２）。エンジンキースイッチをオフからオンにすることでバッテリからの電源ラインが各コントローラに供給され、各コントローラは動作可能状態になる。車体としては、エンジン始動待ち状態となる。
【００４１】
車体のエンジンキースイッチがオンになったならば、サービスツール８０の中の日報作成コマンドを実行し、日報作成の準備に入る（ステップＳ２０４）。日報作成を開始すると先ずは、車体の機種・号機や稼働時間などの日報作成に必要な基礎的な情報をサービスツール８０を介して情報コントローラ６０から取得する（ステップＳ２０６）。次に、サービスマンがこれから行おうとしている作業内容をタグで分離された項目の中から選択する（ステップＳ２０８）。作業内容については後述するが、例えば制御プログラム（ソフト）書換え、部品交換といった内容で分類される。作業内容を選択した後に、作業時間が記録される。その後、サービスマンは選択した保守作業を実施する（ステップＳ２１０）。
【００４２】
保守作業が終了した後は、終了コマンドを実行する（ステップＳ２１２）。これにより作業終了時間が記録され、日報作成が終了する。作成した日報は電子データとしてファイル名を付けて保存し、後に紙に出力して管理する。そして、日報作成が終了したならば、車体からサービスツール８０を外して終了となる（ステップＳ２１４）。
【００４３】
このような一連の日報作成作業手順の中で本発明ではステップＳ２０８における作業内容を選択した段階で通常モードから保守モードへの切換え指令をサービスツール８０から情報コントローラ６０に送る。これによって、車体の状態が通常モードから保守モードへ自動的に切換わることになる。また、選択した作業内容によって保守モードから通常モードへ復帰するタイミングを変えるようにする。本発明では、作業内容を「試乗」、「ソフト書換え」、「部品交換」の３つに分類し、それぞれの作業内容により手順がどのように変わるのかを以下に説明する。
【００４４】
（試乗）
図８は、作業内容として「試乗」が選択された場合の処理の流れを示したものである。ここで「試乗」とは、車体の動作に問題がないかを実際にエンジンを起動して車体の各部を動作させて点検することをいうものとする。先ず作業内容として「試乗」が選択された場合（ステップＳ３００）、作業としては基本的には車体を動かすだけであるため、作業モードは通常モードの状態にしておき（ステップＳ３０２）、サービスマンは車体を動かすためにエンジンキーオンの状態からさらに回して実際にエンジンを始動する（ステップＳ３０４）。
【００４５】
エンジンが始動したならば直ちに試乗に入るが、ステップＳ３０６のように車体の操作の邪魔になる場合には接続したサービスツール８０を一旦外すことがある。サービスツール８０が接続された状態での試乗（ステップＳ３１０）が終了したならばそのまま作業を終了（ステップＳ３１４）することになるが、サービスツール８０が外された状態での試乗（ステップＳ３０８）の場合は、作成途中の日報情報をサービスツール８０内のメモリ領域に一旦記録しておく。そして、試乗が終了したならば、サービスツール８０を再び接続して（ステップＳ３１２）作成途中の日報情報を読み出して作業終了となる（ステップＳ３１４）。
【００４６】
（ソフト書換え）
図９は、作業内容として「ソフト書換え」が選択された場合の処理の流れを示したものである。ここで「ソフト書換え」とは、例えば対象となるコントローラの制御プログラム（ソフトウェア）を市場で発生した不具合対策を施した新バージョンの制御プログラム（ソフトウェア）に書換える（更新）ことをいう。ソフト書換えの際は、対象となるコントローラの書換え中に、各コントローラとの通信が途絶えることがあり、それを故障と判断してエラーコードを発生させてしまうことがある。そのためにソフト書換え前に通常モードから保守モードへ切換えておくことで不要なエラーコードが記録され、そのエラーコードが情報センタに送信される事態を防ぐことができる。
【００４７】
図示するように作業内容として「ソフト書換え」が選択された場合（ステップＳ４００）、作業モードは自動的に通常モードから保守モードへ切換わる（ステップＳ４０２）。それからサービスツール８０でソフト書換えを実施することになるが、場合によってはその途中でエンジンキーオフするなどしてソフト書換え中断することも考えられる（ステップＳ４０４）。
【００４８】
このステップＳ４０４において作業を中断せずにソフト書換えが実施された場合（ステップＳ４０６）、書換え完了と共に直ちに保守モードから通常モードへ復帰し（ステップＳ４０８）、作業終了となる（ステップＳ４１０）。また、このステップＳ４０４においてソフト書換え前にエンジンキーオフした場合は、直ちに保守モードから通常モードへ復帰するようにし（ステップＳ４０８）、保守モードのままにならないようにする。
【００４９】
（部品交換）
図１０は、作業内容として「部品交換」が選択された場合の処理の流れを示したものである。部品交換とは、例えば定期的なフィルタの交換作業や不具合のために油圧シリンダや油圧モータなどの各部品を交換する作業をいう。これらの部品交換作業のうち対象となる部品によってはそれに繋がる配管、信号線、センサーなどの取り外しも必要となり、外したものを元に戻し忘れてしまうとその状態を故障と判断してエラーコードを発生させてしまうことがある。そのために部品交換作業前に通常モードから保守モードへ切換えておくことで不要なエラーコードが記録され、そのエラーコードが情報センタに送信されることを防ぐことができる。
【００５０】
図示するように先ず作業内容として部品交換が選択された場合（ステップＳ５００）、作業モードは自動的に通常モードから保守モードへ切換わり（ステップＳ５０２）、車体は自動的にエンジンキーオフされ（ステップＳ５０４）、作成途中の日報情報がサービスツール８０内のメモリ領域に一旦記録される。なお、このステップＳ５０４において自動的にエンジンキーオフされる理由は、センサーやコントローラに電源が供給された状態で部品を交換すると、予期せずに備品を壊してしまう危険があるためである。
【００５１】
エンジンキーオフ状態で部品交換を実施し（ステップＳ５０６）、再度エンジンキーオンしてサービスツール８０を起動する（ステップＳ５０８）。サービスツール８０を起動すると作成途中の日報情報が読み出され、サービスツール８０上で故障診断が実施される。そして次のステップＳ５１０において故障を検出していないかを判断し、故障を検出してないと判断したとき（ＹＥＳ）は、正常に部品交換が終了したため、作業モードを保守モードから通常モードへ復帰し（ステップＳ５１４）、作業終了となる（ステップＳ５１６）。
【００５２】
一方、ステップＳ５１０において故障を検出したと判断したとき（ＮＯ）は、サービスマンにサービスツール８０上で作業を続けるかどうかを選択させる（ステップＳ５１２）。そして、作業を続けると判断したとき（ＹＥＳ）は、ステップＳ５０４に戻って同様な処理を繰り返す。ここで、故障の原因が部品交換の際に配管、信号線、センサーなどを戻し忘れたことによる場合は、それを直した上で再度ステップＳ５１０において故障がないかを調べる。
【００５３】
ステップＳ５１２において故障の原因が解明できない場合は、想定外の問題が発生していると判断して作業を中止する（ＮＯ）ことを選択する。この場合も保守モードから通常モードへ移行し（ステップＳ５１４）、今回の故障をコントローラに記録し、情報センタにもエラーコードを送信した上で迅速な対応を採るようにする。
【００５４】
このように本発明の異常情報制御装置３００によれば、通常モードと保守モードとが保守作業内容または状況に応じて自動的に切り換わるため、保守モード時に発生した意味のない偽の異常情報の出力を防止して通常モード時に発生した真の異常情報のみを出力することができる。また、切り換えミスや保守作業後の通常モードへの切り換え忘れなどの人為的なミスも確実に回避することができる。また、従来例のように保守作業時に常に故障診断機を接続しておく必要がなく、また、エラーコードに統一的な基準を設けなどといっ対応をする必要もない。なお、本実施の形態では、建設機械として油圧ショベルの例を上げたが、他にホイールローダやダンプトラック、ブルトーザなどであっても同様である。
【符号の説明】
【００５５】
１００…油圧ショベル（建設機械）
２００…油圧システム
３００…異常情報制御装置
２５…モニター装置
３０…制御コントローラ（異常検出手段、異常情報出力手段、モード切換手段）
６０…情報コントローラ（異常検出手段、異常情報出力手段、モード切換手段、サービス機器接続手段）
６１…無線通信端末
８０…サービス機器
【図１】
2014203990.tif 000003
【図２】
2014203990.tif 000004
【図３】
2014203990.tif 000005
【図４】
2014203990.tif 000006
【図５】
2014203990.tif 000007
【図６】
2014203990.tif 000008
【図７】
2014203990.tif 000009
【図８】
2014203990.tif 000010
【図９】
2014203990.tif 000011
【図１０】
2014203990.tif 000012
【手続補正書】
【提出日】平成28年7月25日(2016.7.25)
【手続補正１】
【補正対象書類名】特許請求の範囲
【補正対象項目名】全文
【補正方法】変更
【補正の内容】
【特許請求の範囲】
【請求項１】
建設機械に設けられ、保守作業を行うサービス機器が接続される建設機械の異常情報制御装置において、
建設機械に搭載された機器の異常を検出する異常検出手段と、
通常モードと保守モードとを切り換えるモード切換手段と、
前記通常モードのときに前記異常検出手段で検出された前記機器の異常情報はサーバに出力し、前記保守モードのときに前記異常検出手段で検出された前記機器の異常情報は前記サーバに出力しない異常情報出力手段と、を備え、
前記モード切換手段は、前記サービス機器で選択された保守作業内容が予め定められた保守作業内容である場合に前記サービス機器から出力される切換指令に基づいて、前記通常モードから前記保守モードに切り換えることを特徴とする建設機械の異常情報制御装置。
【請求項２】
請求項１に記載の建設機械の異常情報制御装置において、
前記予め定められた保守作業内容には、少なくともエンジンを停止した状態で行うものが含まれていることを特徴とする建設機械の異常情報制御装置。
【請求項３】
請求項１に記載の建設機械の異常情報制御装置において、
前記モード切換手段は、前記保守モードで行われる保守作業が終了したときに通常モードに切り換えることを特徴とする建設機械の異常情報制御装置。
【請求項４】
請求項１に記載の建設機械の異常情報制御装置において、
前記モード切換手段は、サービス機器を外したときに通常モードに切り換えることを特徴とする建設機械の異常情報制御装置。
【国際調査報告】
2014203990.tif 000013
2014203990.tif 000014
2014203990.tif 000015